Podtech/llm-jp-corpus-v4-ja_patent huggingface dataset:
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
画像キャプチャおよび処理の方法であって、前記方法が、
カメラを用いてある期間にわたって連続して複数の画像をキャプチャするステップであって、前記キャプチャするステップがユーザ入力によってトリガされる、ステップと、
前記複数の画像の各画像が固有の焦点距離を使用してキャプチャされるように、前記期間中、前記カメラの焦点距離を変化させるステップと、
前記期間中に得られた動きセンサデータを使用して前記複数の画像を位置合わせするステップと、
処理ユニットを用いて、
各画像を、前記複数の画像のうちの1つもしくは複数の画像内の特徴に基づいて、各々が前記複数の画像の各々の中に対応する領域を有する複数の領域に分割し、
対応する領域の第1のセットの各領域に関するコントラストのレベルを計算し、
対応する領域の前記第1のセットの領域に関するコントラストの前記レベルを比較し、
対応する領域の前記第1のセット内のコントラストの最も高いレベルを有する第1の画像を決定する
ことによって、前記複数の画像を処理するステップと、
対応する領域の前記第1のセットのうちの1つが選択されたとき、ディスプレイに前記第1の画像を表示させるステップと
を含む方法。
【請求項２】
対応する領域の前記第1のセットのうちの1つが、前記複数の画像のうちの最初に表示された画像から選択される、請求項1に記載の方法。
【請求項３】
前記位置合わせするステップが、前記複数の画像がキャプチャされる前記期間中に発生する、請求項1に記載の方法。
【請求項４】
前記複数の画像を処理するステップが、モバイルデバイスによって実行される、請求項1に記載の方法。
【請求項５】
前記複数の画像を処理するステップが、モバイルデバイス以外のコンピューティングデバイスによって実行される、請求項1に記載の方法。
【請求項６】
前記第1の画像から、対応する領域の第2のセットのうちの1つの選択を受信するステップと、
前記複数の画像から、対応する領域の前記第2のセット内のコントラストの最も高いレベルを有する第2の画像を決定するステップと、
前記ディスプレイに前記第2の画像を表示させるステップと
をさらに含む、請求項1に記載の方法。
【請求項７】
前記複数の画像から、前記画像の前記複数の領域のうちのいずれもが前記複数の画像の前記対応する領域の中で最も高いコントラストの領域であると決定されない1つまたは複数の画像を除去するステップをさらに含む、請求項1に記載の方法。
【請求項８】
前記複数の画像を位置合わせするステップが、
前記複数の画像のうちの1つもしくは複数の画像を拡大縮小するステップ、
前記複数の画像のうちの1つもしくは複数の画像をシフトするステップ、
前記複数の画像のうちの1つもしくは複数の画像を回転させるステップ、または、
前記複数の画像のうちの1つもしくは複数の画像の明るさを調整するステップの少なくとも1つを含む、請求項1に記載の方法。
【請求項９】
前記動きセンサデータが、
ジャイロスコープ、
加速度計、または
カメラのうちの少なくとも1つから取得される、請求項1に記載の方法。
【請求項１０】
請求項1から9のいずれか一項に記載の方法を実行するための命令を有する、コンピュータ可読記憶媒体。
【請求項１１】
モバイルデバイスのカメラを用いてある期間にわたって連続して複数の画像を取得するための手段であって、キャプチャが、ユーザ入力によってトリガされる、手段と、
前記複数の画像の各画像が固有の焦点距離を使用してキャプチャされるように、前記期間中、前記カメラに焦点距離を変化させるための手段と、
前記期間中に得られた動きセンサデータを使用して前記複数の画像を位置合わせするための手段と、
前記複数の画像を、
各画像を、前記複数の画像のうちの1つもしくは複数の画像内の特徴に基づいて、各々が前記複数の画像の各々の中に対応する領域を有する複数の領域に分割し、
対応する領域の第1のセットの各領域に関するコントラストのレベルを計算し、
対応する領域の前記第1のセットの領域に関するコントラストの前記レベルを比較し、
対応する領域の前記第1のセットのうちのコントラストの最も高いレベルを有する第1の画像を決定することによって、処理するための手段と、
対応する領域の前記第1のセットのうちの1つが選択されたとき、ディスプレイに前記第1の画像を表示させるための手段と
を備えるデバイス。
【請求項１２】
位置合わせするための前記手段が、前記複数の画像がキャプチャされる前記期間中に前記位置合わせを発生させるように構成された、請求項11に記載のデバイス。
【請求項１３】
前記第1の画像から、対応する領域の第2のセットのうちの1つの選択を受信し、
前記複数の画像から、対応する領域の前記第2のセット内のコントラストの最も高いレベルを有する第2の画像を決定し、
前記ディスプレイに前記第2の画像を表示させるための手段をさらに備える、請求項11に記載のデバイス。
【請求項１４】
前記複数の画像から、前記画像の前記複数の領域のうちのいずれもが前記複数の画像の前記対応する領域の中で最も高いコントラストの領域であると決定されない1つまたは複数の画像を除去するための手段をさらに備える、請求項11に記載のデバイス。
【請求項１５】
前記複数の画像を位置合わせするための前記手段が、
前記複数の画像のうちの1つもしくは複数の画像を拡大縮小するための手段、
前記複数の画像のうちの1つもしくは複数の画像をシフトするための手段、
前記複数の画像のうちの1つもしくは複数の画像を回転させるための手段、または、
前記複数の画像のうちの1つもしくは複数の画像の明るさを調整するための手段のうちの少なくとも1つを備える、請求項11に記載のデバイス。
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
複数のデバイスがマルチユーザＭＩＭＯ（ＭＵ−ＭＩＭＯ）または周波数分割多元接続（ＦＤＭＡ）のうちの少なくとも１つをサポートすると決定することと、
前記複数のデバイスの第１のセットの各々からの第１の即時応答を懇請する第１のマルチユーザ（ＭＵ）パケットを生成することと、
前記複数のデバイスの第２のセットの各々からの第２の即時応答を懇請する第２のＭＵパケットを生成すること、ここにおいて、前記第２のＭＵパケットが前記第１のＭＵパケットとは異なる、と、
送信のために前記第１のＭＵパケットと前記第２のＭＵパケットとを出力することと
を備え、
前記第１のＭＵパケットは、スペシャルフレームを備え、
前記スペシャルフレームは、前記第１の即時応答を送るためにシングルユーザ多入力多出力（ＳＵ−ＭＩＭＯ）、ＭＵ−ＭＩＭＯ、またはＦＤＭＡを使用するための、前記デバイスの第１のセットの各々のための応答タイプを示すことを特徴とする、
ワイヤレス通信のための方法。
【請求項２】
複数のデバイスがマルチユーザＭＩＭＯ（ＭＵ−ＭＩＭＯ）または周波数分割多元接続（ＦＤＭＡ）のうちの少なくとも１つをサポートすると決定するための手段と、
前記複数のデバイスの第１のセットの各々からの第１の即時応答を懇請する第１のマルチユーザ（ＭＵ）パケットを生成するための手段と、
前記複数のデバイスの第２のセットの各々からの第２の即時応答を懇請する第２のＭＵパケットを生成するための手段、ここにおいて、前記第２のＭＵパケットが前記第１のＭＵパケットとは異なる、と、
送信のために前記第１のＭＵパケットと前記第２のＭＵパケットとを出力するための手段と
を備え、
前記第１のＭＵパケットは、スペシャルフレームを備え、
前記スペシャルフレームは、前記第１の即時応答を送るためにシングルユーザ多入力多出力（ＳＵ−ＭＩＭＯ）、ＭＵ−ＭＩＭＯ、またはＦＤＭＡを使用するための、前記デバイスの第１のセットの各々のための応答タイプを示すことを特徴とする、
ワイヤレス通信のための装置。
【請求項３】
決定するための前記手段および生成するための前記手段は、処理システムを備え、出力するための前記手段は、インターフェースを備える、ワイヤレス通信のための請求項２に記載の装置。
【請求項４】
前記スペシャルフレームは、前記第２の即時応答を送るためにＳＵ−ＭＩＭＯ、ＭＵ−ＭＩＭＯ、またはＦＤＭＡを使用するための、前記デバイスの第２のセットの各々のための応答タイプも示し、前記スペシャルフレームは、前記応答タイプインジケーションが前記第１の即時応答または前記第２の即時応答のためにＭＵ  ＭＩＭＯまたはＦＤＭＡを使用することを示す場合、前記第１の即時応答または前記第２の即時応答を送るために使用すべき１つまたは複数のパラメータを示す、
請求項３に記載の装置。
【請求項５】
１つまたは複数のパラメータの前記インジケーションは、使用すべき１つまたは複数の空間ストリーム、使用すべき１つまたは複数のチャネル、使用すべき持続時間、あるいは使用すべき送信電力のうちの少なくとも１つのインジケーションを備え、
前記第２のＭＵパケットは、ブロック確認応答（ＢＡ）を備え、
前記ＢＡは、前記デバイスの第１のセットの各々からの前記即時応答が正常に受信されたかどうかを示す、
請求項４に記載の装置。
【請求項６】
前記インターフェースは、ＭＵ  ＭＩＭＯまたはＦＤＭＡを使用してグループキャストまたは送信のために前記ＢＡを出力するように構成される、
請求項５に記載の装置。
【請求項７】
前記第２のＭＵパケット中のビットは、前記即時応答を懇請し、前記ビットは、逆方向許可（ＲＤＧ）を備える、
請求項３に記載の装置。
【請求項８】
前記第２のＭＵパケットは、前記第１のＭＵパケットに関連するトークン番号に一致するトークン番号を有する、
請求項３に記載の装置。
【請求項９】
前記デバイスの第１のセットと前記デバイスの第２のセットとは、同じであるか、または異なる、
請求項３に記載の装置。
【請求項１０】
前記スペシャルフレームは、前記デバイスの第１のセットと前記デバイスの第２のセットとを示すか、または前記デバイスの第１のセットと前記デバイスの第２のセットとの順序を示す、
請求項３に記載の装置。
【請求項１１】
前記第１のＭＵパケットは、前記複数デバイスのうちの第３のセットからの第３の即時応答を懇請し、前記第２のＭＵパケットは、前記デバイスの第２のセットまたは前記デバイスの第３のセットが前記即時応答を送信することができるかどうかを示すカウンタを含み、
前記第２のＭＵパケットがブロック確認応答（ＢＡ）を備え、
前記ＢＡは、前記デバイスの第１のセットおよび前記デバイスの第３のセットの各々からの前記即時応答が正常に受信されたかどうかを示す、
請求項３に記載の装置。
【請求項１２】
前記第２のＭＵパケットが、ブロック確認応答（ＢＡ）とアグリゲートされた他のスペシャルフレームを備え、
前記他のスペシャルフレームは、前記第２の即時応答を送るためにＳＵ  ＭＩＭＯ、ＭＵ  ＭＩＭＯ、またはＦＤＭＡを使用するための、前記デバイスの第２のセットの各々のための応答タイプを示し、
前記スペシャルフレームは、前記応答タイプインジケーションが前記第１の即時応答のためにＭＵ  ＭＩＭＯまたはＭＵ  ＦＤＭＡを使用することを示す場合、前記第１の即時応答を送るために使用すべき１つまたは複数のパラメータを示し、
前記他のスペシャルフレームは、前記応答タイプインジケーションが前記第２の即時応答のためにＭＵ  ＭＩＭＯまたはＭＵ  ＦＤＭＡを使用することを示す場合、前記第２の即時応答を送るために使用すべき１つまたは複数のパラメータを示す、
請求項３に記載の装置。
【請求項１３】
前記スペシャルフレームは、前記局の第２のセットがスケジュールされるかどうかを示す、
請求項３に記載の装置。
【請求項１４】
前記第１のＭＵパケットを生成することは、スペシャルフレームをそれの中に含むＭＵ−ＭＩＭＯアグリゲート媒体アクセス制御プロトコルデータユニット（Ａ−ＭＰＤＵ）を生成することを備え、
前記第１の即時応答は、前記デバイスの第１のセットの各々からの第１のＭＵ  ＭＩＭＯまたはＦＤＭＡデータフレームを備え、
各ＭＵ  ＭＩＭＯまたはＦＤＭＡデータフレームは、前記スペシャルフレームを含む前記ＭＵ  ＭＩＭＯ  Ａ−ＭＰＤＵが正常に受信されたかどうか示す確認応答（ＡＣＫ）を備える、
請求項３に記載の装置。
【請求項１５】
前記第２のＭＵパケットは、前記デバイスの第２のセットの各々のためのＭＵ−ＭＩＭＯアグリゲート媒体アクセス制御プロトコルデータユニット（Ａ−ＭＰＤＵ）を備え、
各ＭＵ  ＭＩＭＯ  Ａ−ＭＰＤＵは、前記第１の即時応答が前記第１のセット中の前記デバイスのうちの１つから正常に受信されたかどうかを示す確認応答（ＡＣＫ）を含む、
請求項３に記載の装置。
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
Ｚ方向に沿って光軸を持ち、直交ＸＹ座標系においてピクセルの２Ｄアレイを有するイメージングセンサを有する、スキャンイメージングシステムであって、Ｚ方向はＹ方向に垂直であり、前記ピクセルの２Ｄアレイが、
複数のピクセルを有する第１のピクセルラインであって、Ｙ方向に沿ってのび、隣接ピクセルラインの第１のブロックの一部である、第１のピクセルラインと、
複数のピクセルを有する第２のピクセルラインであって、Ｙ方向に沿ってのび、隣接ピクセルラインの第２のブロックの一部である、第２のピクセルラインと、
前記第１及び第２のピクセルブロック間の第１の非感光性ギャップと
を有し、
各ピクセルがフォトダイオードから成り、Ｘ方向に沿って読み出しラインを有し、
個々のピクセルにおいて前記読み出しラインが前記フォトダイオードより上に隆起し、
前記第１のピクセルラインのピクセル及び前記第２のピクセルラインのピクセルの読み出し電子機器が前記第１の非感光性ギャップに位置し、
前記イメージングセンサが回転軸としてＹ軸まわりに傾斜される、
スキャンイメージングシステム。
【請求項２】
前記第１のピクセルラインのピクセル及び前記第２のピクセルラインのピクセルの読み出し電子機器が両方とも前記第１の非感光性ギャップに位置する、請求項１に記載のスキャンイメージングシステム。
【請求項３】
前記イメージングセンサの傾斜角が好適には約６０°の範囲である、請求項１又は２に記載のスキャンイメージングシステム。
【請求項４】
前記第１の非感光性ギャップがＹ方向に沿ってのびる、請求項１から３のいずれか一項に記載のスキャンイメージングシステム。
【請求項５】
以下の構成要素：
前記第１及び第２のピクセルラインの少なくとも一方のピクセルの電流電圧変換器、
前記イメージングセンサの論理回路、並びに
前記イメージングセンサの結合回路、
のうち少なくとも１つが、前記センサの前記第１の非感光性ギャップ若しくは追加の非感光性ギャップに位置する、請求項１から４のいずれか一項に記載のスキャンイメージングシステム。
【請求項６】
複数の電荷電圧変換器が前記イメージングセンサの各フォトダイオードと関連し、
各電荷電圧変換器が前記イメージングセンサの前記第１の非感光性ギャップ若しくは前記イメージングセンサの追加の非感光性ギャップに位置する、
請求項１から５のいずれか一項に記載のスキャンイメージングシステム。
【請求項７】
前記センサの各ピクセルが２つだけ読み出しラインを有する、請求項１から６のいずれか一項に記載のスキャンイメージングシステム。
【請求項８】
前記第１のピクセルラインがＹ方向に沿ってのびる複数の隣接ピクセルラインから成る前記第１のブロックの一部であり、
前記第２のピクセルラインがＹ方向に沿ってのびる複数の隣接ピクセルラインから成る前記第２のブロックの一部であり、
前記第１及び第２のブロックがＹ方向に沿ってのびる非感光性ギャップによって相互に分離される、
請求項１から７のいずれか一項に記載のスキャンイメージングシステム。
【請求項９】
前記イメージングセンサが追加ブロックを有し、
隣接ブロックがＹ方向に沿ってのびる非感光性ギャップによって相互に分離され、
各ブロックがｎ個の隣接ピクセルラインから成り、ｎは整数であり、
２≦ｎ≦８、特にｎ＝４である、
請求項８に記載のスキャンイメージングシステム。
【請求項１０】
前記イメージングセンサの各非感光性ギャップが、前記センサの１ピクセルの少なくともｍ幅の幅を持ち、ｍは整数であり、
８≦ｍ≦２０、特にｍ＝１３である、
請求項８又は９に記載のスキャンイメージングシステム。
【請求項１１】
前記イメージングセンサがマイクロレンズを有さない、請求項１から１０のいずれか一項に記載のスキャンイメージングシステム。
【請求項１２】
前記非感光性ギャップの各々が前記センサの１ピクセルの少なくとも１幅の幅を持つ、請求項１から１１のいずれか一項に記載のスキャンイメージングシステム。
【請求項１３】
前記スキャンイメージングシステムがサンプルをイメージングするためのデジタルスキャン顕微鏡である、請求項１から１２のいずれか一項に記載のスキャンイメージングシステム。
【請求項１４】
病理学サンプルの画像を生成するための請求項１から１３のいずれか一項に記載のスキャンイメージングシステムの使用。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
端末装置（ＵＥ）によって無線リソース制御（ＲＲＣ）メッセージを受信する方法であって、
モビリティ制御情報を含むＲＲＣ接続再構成メッセージを受信するステップと、
前記モビリティ制御情報を含むＲＲＣ接続再構成メッセージが受信されると、ターゲットプライマリセル（ＰＣｅｌｌ）の下りリンクに対する同期を開始するステップと、
前記モビリティ制御情報を含むＲＲＣ接続再構成メッセージが受信されると、セカンダリセルグループ（ＳＣＧ）の任意の媒体アクセス制御（ＭＡＣ）エンティティが構成されている場合、マスターセルグループ（ＭＣＧ）のＭＡＣエンティティと、前記ＳＣＧのＭＡＣエンティティをリセットするステップと、
を含み、
前記ＭＣＧのＭＡＣエンティティと、前記ＳＣＧのＭＡＣエンティティは、前記端末装置において構成され、前記ＭＣＧは少なくとも一つのＰＣｅｌｌを含み、前記ＳＣＧは少なくとも一つのプライマリＳＣｅｌｌ（ＰＳＣｅｌｌ）を含んでいる、方法。
【請求項２】
無線リソース制御（ＲＲＣ）メッセージを受信する端末装置（ＵＥ）であって、前記ＵＥは、
プロセッサと、
前記プロセッサと電子通信を行うメモリと
を含み、前記メモリに記憶された命令は、
モビリティ制御情報を含むＲＲＣ接続再構成メッセージを受信し、
前記モビリティ制御情報を含むＲＲＣ接続再構成メッセージが受信されると、ターゲットプライマリセル（ＰＣｅｌｌ）の下りリンクに対する同期を開始し、
前記モビリティ制御情報を含むＲＲＣ接続再構成メッセージが受信されると、セカンダリセルグループ（ＳＣＧ）の任意の媒体アクセス制御（ＭＡＣ）エンティティが構成されている場合、マスターセルグループ（ＭＣＧ）のＭＡＣエンティティと、前記ＳＣＧのＭＡＣエンティティをリセットする、
ために実行可能であり、
前記ＭＣＧのＭＡＣエンティティと、前記ＳＣＧのＭＡＣエンティティは、前記端末装置において構成され、前記ＭＣＧは少なくとも一つのＰＣｅｌｌを含み、前記ＳＣＧは少なくとも一つのプライマリＳＣｅｌｌ（ＰＳＣｅｌｌ）を含んでいる、ＵＥ。
【請求項３】
端末装置（ＵＥ）によって無線リソース制御（ＲＲＣ）メッセージを受信するための非一時的有形コンピュータ可読媒体であって、
モビリティ制御情報を含むＲＲＣ接続再構成メッセージを受信し、
前記モビリティ制御情報を含むＲＲＣ接続再構成メッセージが受信されると、ターゲットプライマリセル（ＰＣｅｌｌ）の下りリンクに対する同期を開始し、
前記モビリティ制御情報を含むＲＲＣ接続再構成メッセージが受信されると、セカンダリセルグループ（ＳＣＧ）の任意の媒体アクセス制御（ＭＡＣ）エンティティが構成されている場合、マスターセルグループ（ＭＣＧ）のＭＡＣエンティティと、前記ＳＣＧのＭＡＣエンティティをリセットする、
ための実行可能な命令を含み、
前記ＭＣＧのＭＡＣエンティティと、前記ＳＣＧのＭＡＣエンティティは、前記端末装置において構成され、前記ＭＣＧは少なくとも一つのＰＣｅｌｌを含み、前記ＳＣＧは少なくとも一つのプライマリＳＣｅｌｌ（ＰＳＣｅｌｌ）を含んでいる、コンピュータ可読媒体。
【請求項４】
基地局装置（ｅＮＢ）によって無線リソース制御（ＲＲＣ）メッセージを送信する方法であって、前記方法は、
モビリティ制御情報を含むＲＲＣ接続再構成メッセージを送信するステップ
を含み、前記ＲＲＣ接続再構成メッセージは、端末装置（ＵＥ）に、ターゲットプライマリセル（ＰＣｅｌｌ）の下りリンクに対する同期を開始させ、セカンダリセルグループ（ＳＣＧ）の任意の媒体アクセス制御（ＭＡＣ）エンティティが構成されている場合、マスターセルグループ（ＭＣＧ）のＭＡＣエンティティと、前記ＳＣＧのＭＡＣエンティティをリセットさせ、
前記ＭＣＧのＭＡＣエンティティと、前記ＳＣＧのＭＡＣエンティティは、前記端末装置において構成され、前記ＭＣＧは少なくとも一つのＰＣｅｌｌを含み、前記ＳＣＧは少なくとも一つのプライマリＳＣｅｌｌ（ＰＳＣｅｌｌ）を含んでいる、
方法。
【請求項５】
無線リソース制御（ＲＲＣ）メッセージを送信する基地局装置（ｅＮＢ）であって、前記ｅＮＢは、
プロセッサと、
前記プロセッサと電子通信を行うメモリと
を含み、前記メモリに記憶された命令は、
モビリティ制御情報を含むＲＲＣ接続再構成メッセージを送信する、
ために実行可能であり、
前記ＲＲＣ接続再構成メッセージは、ターゲットプライマリセル（ＰＣｅｌｌ）の下りリンクに対する同期を開始させ、セカンダリセルグループ（ＳＣＧ）の任意の媒体アクセス制御（ＭＡＣ）エンティティが構成されている場合、マスターセルグループ（ＭＣＧ）のＭＡＣエンティティと、前記ＳＣＧのＭＡＣエンティティをリセットさせ、
前記ＭＣＧのＭＡＣエンティティと、前記ＳＣＧのＭＡＣエンティティは、前記端末装置において構成され、前記ＭＣＧは少なくとも一つのＰＣｅｌｌを含み、前記ＳＣＧは少なくとも一つのプライマリＳＣｅｌｌ（ＰＳＣｅｌｌ）を含んでいる、
ｅＮＢ。
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
システムであって、
オンライン・サービスまたはアプリケーションの状態を分析することの一部として、ユーザのパフォーマンス・データを複数のクライアントから受け、
クライントのインターネット・プロトコル（ＩＰ）アドレスと前記パフォーマンス・データに関連付けられるテナント情報とを使用して、前記複数のクライアントの前記ユーザのパフォーマンス・データを部分的に事前凝集して、クライアントのＩＰアドレスと位置パラメータ、サービス・プロバイダ・パラメータ、およびテナントのグローバル一意識別子（ＧＵＩＤ）パラメータの内１つ以上との間のマッピングを含む、マップ・データを供給し、
凝集データを生成するために、前記マップ・データを部分的に凝集して、テナント・レベル・イシュー、位置レベル・イシュー、およびＩＳＰレベル・イシューの内１つ以上を特定する
ように構成される、システム。
【請求項２】
請求項１記載のシステムであって、更に、最終的な凝集動作で用いられるデータ・ポイントの数を制限することにより、処理時間を低減するために、各ノードでクライアント・データを収集するように構成される、システム。
【請求項３】
請求項１記載のシステムであって、更に、障害ゾーン分析を実行することの一部として、多くのルールを前記凝集データに適用するように構成される、システム。
【請求項４】
請求項３記載のシステムであって、更に、１つ以上のテナントについてのパフォーマンス問題を軽減または解決することに関連付けられるレポートを供給するように構成される、システム。
【請求項５】
請求項１記載のシステムであって、更に、１つ以上のキー値の組を用いて１つ以上のマッピング・テーブルを生成するように構成され、第１キー値の組が、開始ＩＰアドレスを表す整数を有するキーを含み、前記キーの値が国コード・パラメータである、システム。
【請求項６】
請求項５記載のシステムであって、更に、前記１つ以上のキー値の組を用いて前記１つ以上のマッピング・テーブルを生成するように構成され、第２キー値の組が、開始ＩＰアドレスを表す整数を有するキーを含み、前記キーの値が、ＩＳＰに関連付けられる自律システム番号（ＡＳＮ）である、システム。
【請求項７】
請求項１記載のシステムであって、更に、グローバルにクライアント・パフォーマンス・データをプルし、共通またはカスタマイズした測定基準のセットに基づいて凝集することによって、凝集サービスを提供するように構成される、システム。
【請求項８】
コンピュータ可読媒体であって、
ナビゲーション・タイミングおよびロード・タイミングの測定基準を含むクライアント・データを受け、
１つ以上のマッピング・テーブルを使用して、前記クライアント・データをマップ・データに変換し、
前記マッピング・テーブルおよびマップ・データを１つ以上のデータベースにアップロードし、
前記１つ以上のデータベースにわたり前記マップ・データを凝集して、テナント・レベル・レイテンシ、ロケーション・レベル・レイテンシ、およびＩＳＰレベル・レイテンシの内１つ以上を定量化する
ことによって、凝集機構を提供するように動作する命令を有する、コンピュータ可読媒体。
【請求項９】
方法であって、
複数のクライアントのパフォーマンス測定基準を収集するステップであって、前記パフォーマンス測定基準がオンライン・サービスまたはアプリケーションの状態に関連付けられる、ステップと、
国マッピングへのＩＰアドレスおよびＩＳＰマッピングへのＩＰアドレスに関連付けられるマッピングを生成することによって部分的に変換データを供給するために、前記複数のクライアントの前記パフォーマンス測定基準を部分的に事前凝集するステップと、
凝集データを供給し、テナント・レベル・レイテンシ、位置レベル・レイテンシ、およびＩＳＰレベル・レイテンシの内１つ以上を特定するために、前記変換データを凝集するステップと
を含む、方法。
【請求項１０】
請求項９記載の方法であって、更に、障害ゾーン分析に基づいて、レイテンシ関連問題を解決するステップを含む、方法。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ターゲット無線アクセス技術(RAT)の絶対システムフレーム番号(SFN)および/またはサービング無線アクセス技術(RAT)と前記ターゲットRATとの相対システムフレーム番号(SFN)差を記録するステップと、
リダイレクションの後、前記記録された絶対システムフレーム番号(SFN)および/または前記記録された相対システムフレーム番号(SFN)差に少なくとも一部基づいて、送信時間間隔(TTI)境界を決定するステップと
を含む、方法。
【請求項２】
前記ターゲットRATにおいて報知制御チャネル(BCCH)のブラインド復号をスキップして、前記TTI境界を決定するためにSFNを読み取るステップをさらに含む、請求項1に記載の方法。
【請求項３】
前記サービングRATが、Long Term Evolution(LTE)である、請求項1に記載の方法。
【請求項４】
前記ターゲットRATが、時分割同期符号分割多元接続(TD-SCDMA)である、請求項1に記載の方法。
【請求項５】
前記記録された差を記憶するステップをさらに含む、請求項1に記載の方法。
【請求項６】
前記SFN差を記録するステップが、前記ターゲットRATにキャンプされる間に行われる、請求項1に記載の方法。
【請求項７】
前記SFN差を記録するステップが、無線アクセス技術間(IRAT)測定中に行われる、請求項1に記載の方法。
【請求項８】
プログラムコードが記録された、コンピュータ可読記憶媒体であって、前記プログラムコードが、請求項1から7のいずれか一項に記載の方法を行わせるプログラムコードを含む、コンピュータ可読媒体。
【請求項９】
ワイヤレス通信のための装置であって、
メモリと、
前記メモリに結合された少なくとも1つのプロセッサとを備え、前記少なくとも1つのプロセッサが、
ターゲット無線アクセス技術(RAT)の絶対システムフレーム番号(SFN)を記録するおよび/またはサービング無線アクセス技術(RAT)と前記ターゲットRATとの相対システムフレーム番号(SFN)差を記録する、ならびに
リダイレクションの後、前記記録された絶対システムフレーム番号(SFN)および/または前記記録された相対システムフレーム番号(SFN)差に少なくとも一部基づいて、送信時間間隔(TTI)境界を決定する
ように構成された、装置。
【請求項１０】
前記少なくとも1つのプロセッサが、前記ターゲットRATにおいて報知制御チャネル(BCCH)のブラインド復号をスキップして、前記TTI境界を決定するためにSFNを読み取るようにさらに構成される、請求項9に記載の装置。
【請求項１１】
前記サービングRATが、Long Term Evolution(LTE)である、請求項9に記載の装置。
【請求項１２】
前記ターゲットRATが、時分割同期符号分割多元接続(TD-SCDMA)である、請求項9に記載の装置。
【請求項１３】
前記少なくとも1つのプロセッサが、前記記録された差を記憶するようにさらに構成される、請求項9に記載の装置。
【請求項１４】
前記少なくとも1つのプロセッサが、ユーザ機器(UE)が前記ターゲットRATにキャンプされる間に前記SFN差を記録するように構成される、請求項9に記載の装置。
【請求項１５】
前記少なくとも1つのプロセッサが、無線アクセス技術間(IRAT)測定中に前記SFN差を記録するようにさらに構成される、請求項9に記載の装置。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
−水銀と、チタン、ジルコニウム、及びそれらの混合物から選択された第２金属とを含む水銀分配粉末化合物Ａ、並びに
−銅及びスズを含む、合金または金属間粉末化合物Ｂであって、銅は前記化合物Ｂの重量に対して３５〜９０％重量百分率の量で存在する、合金または金属間粉末化合物Ｂ
からなる材料の水銀分配結合体であって、
前記材料の水銀分配結合体は、更に、組成物の全重量に対して０．０３％〜０．４８％、好ましくは０．０６％〜０．３９％  ｗｔ／ｗｔの酸素量を含むことを特徴とする、材料の水銀分配結合体。
【請求項２】
前記合金または金属間化合物Ｂが、少なくとも、遷移金属の鉄、ニッケル、マンガン、及び亜鉛から選択された第三金属を更に含み、前記遷移金属が化合物Ｂの全重量の１％以下の量で存在する、請求項１に記載の材料の水銀分配結合体。
【請求項３】
前記水銀分配化合物Ａが、式ＴｉｘＺｒｙＨｇｚに対応する一以上の金属間材料を含む化合物から、好ましくは式Ｚｒ３Ｈｇ及びＴｉ３Ｈｇから選択される、請求項１又は２に記載の材料の水銀分配結合体。
【請求項４】
請求項１から３のいずれか一項に記載の水銀分配組成物を含む水銀分配装置。
【請求項５】
成分Ｂが金属支持の被覆の形態で存在し、成分Ａが圧延によって成分Ｂに付着した粉末として存在する、請求項４に記載の水銀分配装置。
【請求項６】
少なくともゲッター材料Ｃが加えられた、請求項４又は５に記載の水銀分配装置。
【請求項７】
前記水銀分配組成物は、ストリップの形状を有し、好ましくはニッケルメッキされた鋼からなる支持材料に付着する、請求項４から６のいずれか一項に記載の水銀分配装置。
【請求項８】
材料Ａ、Ｂ、及びＣが一緒に混合され、前記ストリップの一面または両面上に圧延されている、請求項７に記載の水銀分配装置。
【請求項９】
材料Ａ及びＢは前記ストリップの一表面上に配され、材料Ｃは材料Ａ及びＢに対して反対表面上に配される、請求項７に記載の水銀分配装置。
【手続補正書】
【提出日】平成29年9月14日(2017.9.14)
【手続補正１】
【補正対象書類名】特許請求の範囲
【補正対象項目名】請求項６４
【補正方法】変更
【補正の内容】
【請求項６４】
請求項５９乃至６３のいずれか一項に記載の方法をコンピュータプログラマブル装置に実行させるための命令を含むプログラム。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
尿素およびアンモニアの少なくとも１つに接触される表面を有する、アンモニアおよび／または尿素接触向けの構成要素であって、前記表面が、フルオロポリマーおよびハイドロタルサイト化合物を含む、フルオロエラストマー組成物を含む、構成要素。
【請求項２】
ハイドロタルサイト化合物が、フルオロポリマーに対して、０．１〜２０重量％の量で存在する、請求項１に記載の構成要素。
【請求項３】
フルオロエラストマー組成物が、尿素およびアンモニアの少なくとも１つに接触した際に、フルオロエラストマー組成物の膨張を防止または低減させるために、アンモニアおよび／または尿素接触向けの構成要素からなるフルオロエラストマー組成物中でハイドロタルサイト化合物を利用する工程を含む方法。
【請求項４】
フルオロエラストマー組成物が、尿素およびアンモニアの少なくとも１つに接触した際に、フルオロエラストマー組成物の膨張を防止または低減させるための、アンモニアおよび／または尿素接触向けの構成要素からなるフルオロエラストマー組成物中でのハイドロタルサイト化合物の使用。
【手続補正書】
【提出日】平成29年11月2日(2017.11.2)
【手続補正１】
【補正対象書類名】特許請求の範囲
【補正対象項目名】請求項７
【補正方法】変更
【補正の内容】
【請求項７】
前記第１のポリイソシアネート（ａ）、及び、存在する場合に前記錯体化合物（ｂ）において、１つのイソシアネート基当たりアルカリ金属又はアルカリ土類金属イオンの量が、アルカリ金属又はアルカリ土類金属イオン及びウレタン基の数に基づいて、０．０００１〜０．３である請求項１から６のいずれか一項に記載の方法。
【手続補正２】
【補正対象書類名】特許請求の範囲
【補正対象項目名】請求項１２
【補正方法】変更
【補正の内容】
【請求項１２】
前記ポリウレタン反応混合物が強化手段に与えられ、次に反応が行われてポリウレタンを提供する請求項１から１１のいずれか一項に記載の方法。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
凍結工程、及び固−液分離工程を有する水性ポリマー分散液のための連続的、又は半連続的な凍結凝集法において、該凍結凝集法は、以下のさらなる工程：
・前記凍結工程と、前記固−液分離工程との間に、水及び／又は水蒸気を添加する工程
を有し、
ここで前記固−液分離工程は、式：
【数１】
2017500387.tif 000001
による分離係数Ｐによって特定され、上記式中、ｍH2O,mechは、機械的に分離された水の量、すなわち分離された水相の量を示し、ｍH2O,totは、水の合計としての水量全体、すなわち当初使用された水性ポリマー分散液と、添加された水及び／又は水蒸気からの水相を表し、ここでＰは０．５５以上、好適には０．８以上、好ましくは０．９３以上、さらに好ましくは０．９５以上であることを特徴とする、前記凍結凝集法。
【請求項２】
前記凍結工程は、凍結速度Ｇ：
【数２】
2017500387.tif 000002
で行われ、ここでｈEisは、時間ｔEinfrier内に形成される氷の層の厚さであり、ここでＧは、１〜１００ｃｍ／ｈの範囲、好適には２〜７０ｃｍ／ｈの範囲、好ましくは４〜６５ｃｍ／ｈの範囲、特に好ましくは５〜６０ｃｍ／ｈの範囲、極めて特に好ましくは６〜５５ｃｍ／ｈの範囲、特に好ましくは７〜３５ｃｍ／ｈの範囲、さらに特に好ましくは８〜２５ｃｍ／ｈの範囲、とりわけ好ましくは９〜１５ｃｍ／ｈの範囲にあることを特徴とする、請求項１に記載の方法。
【請求項３】
前記凍結工程を、冷却された回転ローラで、好適にはローラ式製氷機で行い、ここで前記ローラを好適には、凍結させる水性ポリマー分散液に浸漬することを特徴とする、請求項１又は２に記載の方法。
【請求項４】
前記水性ポリマー分散液は、前記凍結工程後に、それぞれ前記水性ポリマー分散液の質量全体に対して９０質量％、好ましくは９５質量％、特に好ましくは１００質量％が凍結していることを特徴とする、請求項１から３までのいずれか１項に記載の方法。
【請求項５】
前記水性ポリマー分散液は、（メタ）アクリレートベース、好適にはＰＭＭＡベースの水性ポリマー分散液であり、ここで前記水性ポリマー分散液は好適には、１種以上の耐衝撃性改良剤、好ましくは二相若しくは三相の耐衝撃性改良剤を含有することを特徴とする、請求項１から４までのいずれか１項に記載の方法。
【請求項６】
前記水性ポリマー分散液は、水及び／又は水蒸気を添加した後、質量に対する固体割合が、水及び／又は水蒸気を添加する前の水性ポリマー分散液の質量に対する固体割合の９９．５〜１０％の範囲、好適には７５〜２５％の範囲、好ましくは７０〜３０％の範囲、極めて好ましくは６５〜３５％の範囲にあることを特徴とする、請求項１から５までのいずれか１項に記載の方法。
【請求項７】
前記方法が、融解工程、及び任意で焼結工程を有することを特徴とする、請求項１から６までのいずれか１項に記載の方法。
【請求項８】
前記方法が焼結工程を有し、ここで該焼結工程は、Ｔ≧ＴG−５０Ｋの範囲、好ましくはＴ≧ＴG−３０Ｋの範囲、好ましくはＴG−１５Ｋ≦Ｔ≦ＴG＋５Ｋの範囲にある焼結温度Ｔで行うことを特徴とする、請求項１から７までのいずれか１項に記載の方法。
【請求項９】
前記固−液分離工程の後に、コンパウンド化工程を、好適には２スクリュー式コンパウンド装置で、任意でさらなる添加剤を添加して行い、ここでさらなる添加剤は好適には、（メタ）アクリレートベースの（コ）ポリマー、特に顆粒状のＰＭＭＡ成形材料、紫外線安定剤パッケージ、滑剤、着色剤、好ましくは透明な着色のための着色剤、加工助剤、酸化防止剤、及び安定剤から成る群から選択されていることを特徴とする、請求項１から８までのいずれか１項に記載の方法。
【請求項１０】
前記固−液分離工程と、コンパウンド化工程との間に、乾燥工程、及び／又は稠密化工程を行うことを特徴とする、請求項９に記載の方法。
【請求項１１】
粉末の形態の製品を製造することを特徴とする、請求項１から１０までのいずれか１項に記載の方法。
【請求項１２】
請求項１から１１までのいずれか１項に記載の方法を使用することを特徴とする、半製品、成形材料、又は成形体を製造するための方法。
【請求項１３】
前記半製品、成形材料、又は成形体は透明であることを特徴とする、請求項１２に記載の方法。
【請求項１４】
凍結工程、及び固−液分離工程を有する、水性ポリマー分散液のための連続的又は半連続的な凍結凝集法において、方法生成物の光学的な品質を改善するため、特にヘイズ値を改善するための、
・水及び／又は水蒸気を添加する工程
の使用であって、ここで、好適には請求項１から１１までのいずれか１項に記載の方法において、水及び／又は水蒸気の添加は、凍結工程と固−液分離工程との間に行う、前記使用。
【請求項１５】
請求項１から１１までのいずれか１項に記載の方法により製造された粉末。
【請求項１６】
請求項１５に記載の粉末を含有する成形材料。
【請求項１７】
請求項１６に記載の成形材料を含有する、又は該成形材料から成る成形体であって、好適には透明である、前記成形体。
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
内腔を画定し、かつ、（ｉ）患者の腎臓の内部または付近に配置される遠位腎臓部と、（ｉｉ）前記患者の膀胱内部または付近に配置される近位膀胱部と、（ｉｉｉ）前記遠位腎臓部および前記近位膀胱部の間で患者の尿管内に配置される尿管部を有する中空ボディと、
前記近位膀胱部に設けられ、前記中空ボディから外側に伸長するひとつ以上の突起を有する第１の移動防止特徴と、
前記遠位腎臓部、前記近位膀胱部またはその両方に設けられる第２の移動防止特徴と
備え、
前記第１の移動防止特徴は、前記近位膀胱部の全長より短い長さで伸長し、前記患者の膀胱内に入らないように構成され、
前記ひとつ以上の突起は、ひとつ以上の突出部が前記中空ボディの外周を越えて半径方向に突出しないデリバリ位置から、前記ひとつ以上の突出部が前記中空ボディの前記外周を越えて半径方向に突出する展開位置へ移動するように構成されたひとつ以上の突出部を有する、ことを特徴とする尿管ステント。
【請求項２】
前記第２の移動防止特徴は、コイル構造を含む、請求項１に記載の尿管ステント。
【請求項３】
前記第２の移動防止特徴は、外側シースからリリースされたとき、外側に拡張するように構成されたメッシュ構造を含む、請求項１に記載の尿管ステント。
【請求項４】
前記第２の移動防止特徴は、前記第１の移動防止特徴に与えられる断面輪郭を含む、請求項１に記載の尿管ステント。
【請求項５】
前記近位膀胱部の近位端に配置された一方向バルブをさらに備える、請求項２から４のいずれか一項に記載の尿管ステント。
【請求項６】
前記中空ボディの外側で、かつ、同軸に配置されたスライド可能な外側チューブをさらに備え、前記外側チューブは、前記展開位置にあるとき、前記ひとつ以上の突出部が通過して突出するひとつ以上のアパーチャを有する、ことを特徴とする請求項１に記載の尿管ステント。
【請求項７】
前記外側チューブは、前記中空ボディに対する前記外側チューブの位置を選択的にロックするように構成されたロック機構を有する、ことを特徴とする請求項６に記載の尿管ステント。
【請求項８】
前記中空ボディに対する前記外側チューブの第１方向への移動は、前記ひとつ以上の突出部に、前記展開位置を取らせ、かつ、前記ひとつ以上のアパーチャを通じて突出させる、ことを特徴とする請求項６に記載の尿管ステント。
【請求項９】
前記中空ボディに対する前記外側チューブの第２方向への移動は、前記ひとつ以上の突出部に、前記デリバリ位置を取らせ、かつ、前記ひとつ以上のアパーチャの半径方向内側に配置させる、ことを特徴とする請求項８に記載の尿管ステント。
【請求項１０】
前記ひとつ以上の突出部は、三角形、正方形、または円形構成を有する半径方向最外前縁を含む、螺旋構造を有する、ことを特徴とする請求項１に記載の尿管ステント。
【請求項１１】
前記半径方向最外前縁の最外直径は、前記中空ボディの最外直径の１．２から１．５倍である、ことを特徴とする請求項１０に記載の尿管ステント。
【請求項１２】
前記ひとつ以上の突出部は、ひとつ以上の別個のリングを有する、ことを特徴とする請求項１に記載の尿管ステント。
【請求項１３】
前記ひとつ以上の突出部は、ひとつ以上の別個のパッドを有し、前記パッドのそれぞれを長手方向に横切る平面は、少なくともひとつの他のパッドを横切り、前記パッドのそれぞれを前記長手方向に垂直な横方向に横切る平面は少なくともひとつの他のパッドを横切る、ことを特徴とする請求項１に記載の尿管ステント。
【請求項１４】
ひとつ以上のホールドラインをさらに備え、前記中空ボディが前記外側シース内でデリバリ構成にあるとき、前記中空ボディは前記ホールドラインに沿って保持されるように構成される、請求項２から４のいずれか一項に記載の尿管ステント。
【手続補正２】
【補正対象書類名】明細書
【補正対象項目名】００２４
【補正方法】変更
【補正の内容】
【００２４】
図５に示すように、デリバリ位置にあるとき、突出部１００は、外側チューブ１１０と中空ボディ１２との間に配置される。突出部１００は、突出部１００がデリバリ位置にあるとき、外側チューブ１１０および中空ボディ１２と実質的に同軸である。突出部１００は、外側チューブによって印加される半径方向内側（すなわち、中空ボディ１２方向）の力が、デリバリ位置にあるとき、突出部が外側に突出するのを防止するように、バネ材料から形成されてよい。突出部１００に対する外側チューブ１１０の移動により、突出部１００がアパーチャ１２０を通過して突出するように、突出部１００が外側チューブ１１０上に配置されたアパーチャ１２０とアライメントされ、かつ、展開位置を取る。したがって、外側チューブ１１０からの半径方向内側の力は除去され、突出部１００はその展開位置を取る。また、突出部１００は、該突出部をアパーチャ１２０とアライメントするように、外側チューブ１１０に対して移動してよいことが想定されている。
【手続補正３】
【補正対象書類名】明細書
【補正対象項目名】００２６
【補正方法】変更
【補正の内容】
【００２６】
突出部１００は、尿管ステント１０が患者の体内の展開サイトに配備された後でのみ、展開し、かつ、その展開構成を取る。したがって、例えば、突出部１００は、該突出部１００がアパーチャ１２０を通じて突出したとき、患者の尿管壁組織内に突出する。これにより、患者の体内に尿管ステント１０を固定するのが容易になり、尿管ステント１０の逆行移動を減少／防止することができる。突出部１００が展開した状態で、尿管ステント１０がもはや必要なくなった後、尿管ステント１０は、展開した突出部１００が伸長する角度のために、外側チューブ１１０内の突出部１００を引っ張ることなく、患者から除去可能である。したがって、尿管ステント１０が患者から除去されるとき、突出部１００はその展開位置において展開したままとなる。他の実施形態において、外側チューブ１１０は、尿管ステント１０が患者から除去される前に、外側チューブ１１０内に突出部１００を完全に引っ込めるように、突出部１００に対して移動される。
【手続補正書】
【提出日】平成29年10月4日(2017.10.4)
【手続補正１】
【補正対象書類名】特許請求の範囲
【補正対象項目名】請求項７
【補正方法】変更
【補正の内容】
【請求項７】
バスケットカテーテル用カテーテルシースの製造方法において、当該方法が：
近位端および遠位端と、前記近位端から前記遠位端に延在している内腔とを有する複数の電気リードを提供するステップであって、各電気リードが、非導電性材料の管状部材と、前記近位端から前記遠位端に延在して非導電性の前記管状部材の上に設けられた複数の電気伝導体と、前記電気伝導体の上に被せてこの伝導体をカバーする非導電性材料の外層と、を有するものであるステップと；
複数の前記電気伝導体のうちの少なくとも一つにアクセスして、前記電気リードの遠位部に、前記電気伝導体の少なくとも一つと電気接続した電極を形成するステップと；
形状形成部材を前記複数の電気リードの各内腔に挿入するステップであって、前記形状形成部材は、前記カテーテルシースの遠位部がバスケット形状を形成するように、前記電気リードの各遠位部にアーチ形状を付与するものであるステップと；
前記複数の電気リードを、その遠位端と、各電気リードの遠位のアーチ部よりも近位においてともに束ねるステップと；を具えることを特徴とする方法。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
患者に呼吸ガス流を送出するためのガス送出システムにおいて、
前記呼吸ガス流を発生させるために構成されるブロアー組立体であり、前記ブロアー組立体は、吸気マニフォールド、前記呼吸ガス流の圧力及び／又は流量を調整するために構成される組立体、並びに患者回路に結合されるように構成される排気マニフォールドを含むガス流路を含んでいるブロアー組立体、並びに
消毒する光を発生させ、前記吸気マニフォールド、前記組立体及び前記排気マニフォールドの少なくとも１つにおける１つ以上の内部表面を消毒するために、前記１つ以上の内部表面に前記消毒する光を送出するように構成される光システム
を有するガス送出システム。
【請求項２】
前記消毒する光は、紫外線光である、及び前記光システムは、紫外線光システムである、請求項１に記載のガス送出システム。
【請求項３】
前記消毒する光は、ＵＶｃ紫外線光である、及び前記光システムは、前記ＵＶｃ紫外線光を発生させるために構成される紫外線光システムである、請求項２に記載のガス送出システム。
【請求項４】
前記光システムは、前記吸気マニフォールド、前記組立体及び前記排気マニフォールドの少なくとも１つの一部の内部に埋め込まれる多数のＵＶｃＬＥＤを含んでいる、請求項３に記載のガス送出システム。
【請求項５】
前記光システムは、回路基板、前記回路基板に置かれる多数のＵＶｃＬＥＤ及び多数の光伝達部材を含む、前記光伝達部材の各々は、前記ＵＶｃＬＥＤの対応する１つに結合される、並びに前記ＵＶｃＬＥＤは、前記ＵＶｃ紫外線光を発生させ、前記吸気マニフォールド、前記組立体及び前記排気マニフォールドの少なくとも１つに前記ＵＶｃ紫外線光を送出するために、前記ＵＶｃ紫外線光が前記光伝達部材を通るように構成される、請求項３に記載のガス送出システム。
【請求項６】
前記光システムは、回路基板及び前記回路基板に置かれる多数のＵＶｃＬＥＤを含む、及び前記ブロアー組立体は、ＵＶｃ紫外線光に対し透過である材料から作られる少なくとも１つの構成要素を含む、請求項３に記載のガス送出システム。
【請求項７】
前記光システムは、回路基板、前記吸気マニフォールド、前記組立体及び前記排気マニフォールドの少なくとも１つの一部の内部に埋め込まれる第１の多数のＵＶｃＬＥＤ、前記回路基板に置かれる第２の多数のＵＶｃＬＥＤ、及び前記ブロアー組立体の１つ以上の部分を通り延在している多数の光伝達部材を含み、前記光伝達部材の各々は、前記第２の多数のＵＶｃＬＥＤの対応する１つに結合されている、請求項３に記載のガス送出システム。
【請求項８】
前記光システムは、前記吸気マニフォールド、前記組立体及び前記排気マニフォールドの少なくとも１つの一部に置かれる多数の反射面を含み、前記反射面は、ＵＶｃ紫外線光を反射するように構成される、請求項３に記載のガス送出システム。
【請求項９】
呼吸ガス流を発生させるために構成されるブロアー組立体を含むガス送出システム内のガス流路を消毒する方法であり、前記ガス流路は、吸気マニフォールド、前記呼吸ガス流の圧力及び／又は流量を調整するために構成される組立体、並びに患者回路に結合されるように構成される排気マニフォールドを含む、前記ガス流路を消毒する方法において、
前記ガス送出システムの一部として光システムを設けるステップ、
前記光システムから消毒する光を発生させるステップ、並びに
前記吸気マニフォールド、前記組立体及び前記排気マニフォールドの少なくとも１つにおける１つ以上の内部表面を消毒するために、前記１つ以上の内部表面に前記消毒する光を送出するステップ
を有する方法。
【請求項１０】
前記消毒する光は、紫外線光である、及び前記光システムは、紫外線光システムである、請求項９に記載の方法。
【請求項１１】
前記消毒する光は、ＵＶｃ紫外線光である、及び前記光システムは、前記ＵＶｃ紫外線光を発生させるために構成される紫外線光システムである、請求項１０に記載の方法。
【請求項１２】
前記光システムは、前記消毒する光を発生させるために前記ブロアー組立体の内部に埋め込まれる多数のＵＶｃＬＥＤを含む、請求項１１に記載の方法。
【請求項１３】
前記光システムは、回路基板、前記消毒する光を発生させるために前記回路基板に置かれる多数のＵＶｃＬＥＤ及び多数の光伝達部材を含む、前記光伝達部材の各々は、前記ＵＶｃＬＥＤの対応する１つに結合される、並びに前記ＵＶｃＬＥＤは、前記吸気マニフォールド、前記組立体及び前記排気マニフォールドの少なくとも１つにある前記少なくとも１つの内部表面に前記消毒する光を送出するように構成される、請求項１１に記載の方法。
【請求項１４】
前記光システムは、回路基板及び前記回路基板に置かれる多数のＵＶｃＬＥＤを含む、前記ブロアー組立体は、ＵＶｃ紫外線光に対し透過である材料から作られる少なくとも１つの構成要素を含む、及び前記送出するステップは、前記消毒する光が前記少なくとも１つの構成要素を通ることを含む、請求項１１に記載の方法。
【請求項１５】
前記光システムは、前記吸気マニフォールド、前記組立体及び前記排気マニフォールドの少なくとも１つの一部に置かれる多数の反射面を含み、前記反射面は、ＵＶｃ紫外線光を反射するために構成される、及び前記送出するステップは、前記消毒する光が前記反射面を反射することを含む、請求項１１に記載の方法。